(57)【要約】【課題】  従来、検出部をストロボ発光部の内部でなく、ストロボ発光部から離れた場所に光ファイバを介して配置する場合、光ファイバにある程度の曲率が必要とされ、検出部まで光ファイバを導く経路が制限され、光ファイバの使用が難しい。【解決手段】  プロテクタ４１を介してケース４０外へ照射されるＸｅ管３２の出射光は、プロテクタ４１からライトガイド４２によって軸４４ａの回動中心を通ってケース４０外へ伝達され、軸４４ａの回動中心上におけるケース４０の外に設けられたＳＰＤ３３によって光量が検出される。この際、Ｘｅ管３２を収容するケース４０を軸４４ａ、４４ｂ、４４ｃを中心に回動させても、ライトガイド４２は、軸４４ａの回動中心を通ってケース４０の外に引き出されているので、外力が加わって捻れたりすることがない。【選択図】  図３
2011170216.tif 000002
【特許請求の範囲】
【請求項１】
被写体を照明する光源と、前記光源を収容するケースと、前記光源から出射される出射光を前記ケース外へ透過させると共に前記光源を前記ケース内に保持して保護する前記ケースの一面に設けられた透光性材質からなるプロテクタと、前記ケースを支持体に回動自在に支持する軸と、前記プロテクタに照射される前記光源の出射光を前記軸の回動中心を通って前記ケース外へ伝達するライトガイドと、前記軸の回動中心上における前記ケースの外に設けられて前記ライトガイドを介して伝達される前記光源の出射光の光量を検出する検出部とを備える撮影用照明装置。
【請求項２】
請求項１に記載の撮影用照明装置において、
前記ライトガイドは、前記プロテクタの一部が前記軸まで延出されて形成されていることを特徴とする撮影用照明装置。
【請求項３】
請求項１または請求項２に記載の撮影用照明装置において、
前記軸は、前記ケースに固定されていることを特徴とする撮影用照明装置。
【請求項４】
請求項３に記載の撮影用照明装置において、
前記検出部は、前記軸に固定されていることを特徴とする撮影用照明装置。
【請求項５】
請求項１から請求項４のいずれか１項に記載の撮影用照明装置において、
前記光源は、前記軸の回動中心を通る前記ライトガイドの周囲を通過するリード線を備えることを特徴とする撮影用照明装置。
【請求項６】
請求項１から請求項５のいずれか１項に記載の撮影用照明装置と、前記支持体を構成する筐体と、被写体を撮像する撮像手段とを備える撮影装置。
【発明の詳細な説明】
【技術分野】
【０００１】
本発明は、光源から出射される出射光で被写体を照明する撮影用照明装置およびそれを備える撮影装置に関する。
【背景技術】
【０００２】
従来、この種の撮影装置としては、例えば、特許文献１に開示されたストロボ内蔵カメラがある。このストロボ内蔵カメラは、ストロボ光を直接に被写体に投射して撮影を行う通常のストロボ光直射撮影と、ストロボ光を被写体とは異なる他の物体に投射して該物体からの反射光で被写体を照明するストロボ光バウンス撮影とが可能なバウンス機構を具備している。ストロボ光バウンス撮影を行う場合には、バウンス機構を構成するカメラ内に収容されているポップアップフレームが、ポップアップフレームと一体の側板に形成されているカム溝に係合しているピンに導かれて、ばねの力によりカメラ内から外へポップアップする。その結果、発光管を含む発光ユニットはストロボ光発射開口を上方へ向けた姿勢に転換され、発光ユニットから発するストロボ光は天井等に投射される。一方、通常のストロボ撮影を行う場合には、上から手でポップアップフレームを押し下げると、ポップアップフレームがカメラ内に押し込まれ、発光ユニットから発生した光束のすべてが前面のフレネル板を通してカメラ前方側へ投射される。
【先行技術文献】
【特許文献】
【０００３】
【特許文献１】特開平９−６１８９９号公報
【発明の概要】
【発明が解決しようとする課題】
【０００４】
しかしながら、上記従来のストロボ内蔵カメラで、ストロボ発光部が発光した光量が適量になったかを検出するには、光量検出用素子を有する検出部を備え、ストロボ発光部と検出部とを、光損失のない光ファイバを使って接続する必要がある。この際、ストロボ発光部を小型化したい場合やストロボ発光部内のスペースが少ない場合、検出部をストロボ発光部の内部でなく、ストロボ発光部から離れた場所に配置することが余儀なくされる。しかし、光ファイバの内部で光信号を全反射させるためには、光ファイバを曲げるのにある程度の曲率が必要とされ、カム溝に係合するピンが移動するバウンス機構を備えた内蔵ストロボでは、ストロボ発光部から離れた場所に配置された検出部まで光ファイバを導く経路が制限され、光ファイバの使用が難しい。
【課題を解決するための手段】
【０００５】
本発明はこのような課題を解決するためになされたもので、
被写体を照明する光源（３２）と、光源（３２）を収容するケース（４０）と、光源（３２）から出射される出射光をケース（４０）外へ透過させると共に光源（３２）をケース（４０）内に保持して保護するケース（４０）の一面に設けられた透光性材質からなるプロテクタ（４１）と、ケース（４０）を支持体（２）に回動自在に支持する軸（４４ａ、４４ｂ、４４ｃ）と、プロテクタ（４１）に照射される光源（３２）の出射光を軸（４４ａ）の回動中心を通ってケース（４０）外へ伝達するライトガイド（４２）と、軸（４４ａ）の回動中心上におけるケース（４０）の外に設けられてライトガイド（４２）を介して伝達される光源（３２）の出射光の光量を検出する検出部（３３）とを備えて、撮影用照明装置（６）を構成した。
【０００６】
本構成によれば、ケース（４０）が軸（４４ａ、４４ｂ、４４ｃ）によって支持体（２）に対して回動されることで、ケース（４０）の一面に設けられた透光性材質からなるプロテクタ（４１）を介してケース（４０）外へ出射される光源（３２）の出射光の向きが変えられ、光源（３２）の出射光を直接に被写体に投射して撮影を行う通常の出射光直射撮影と、光源（３２）の出射光を被写体とは異なる他の物体に投射して該物体からの反射光で被写体を照明する出射光バウンス撮影とが行われる。プロテクタ（４１）を介してケース（４０）外へ照射される光源（３２）の出射光は、プロテクタ（４１）からライトガイド（４２）によって軸（４４ａ）の回動中心を通ってケース（４０）外へ伝達され、軸（４４ａ）の回動中心上におけるケース（４０）の外に設けられた検出部（３３）によって光量が検出される。この際、光源（３２）を収容するケース（４０）を軸（４４ａ、４４ｂ、４４ｃ）を中心に回動させても、ライトガイド（４２）は、軸（４４ａ）の回動中心を通ってケース（４０）の外に引き出されているので、外力が加わって捻れたりすることがない。また、検出部（３３）は軸（４４ａ）の回動中心上におけるケース（４０）外に設けられているため、光源（３２）を収容するケース（４０）を軸（４４ａ、４４ｂ、４４ｃ）を中心に回動させても、ライトガイド（４２）から出射される光は逸れることなく検出部（３３）に照射されて受光される。この結果、バウンス機能を有しながら、光源（３２）の出射光の正確な光量の測定が可能な、検出部（３３）が光源（３２）を収容するケース（４０）の外に設けられて小型化された撮影用照明装置（６）が提供される。
【０００７】
また、本発明は、ライトガイド（４２）が、プロテクタ（４１）の一部が軸（４４ａ）まで延出されて形成されていることを特徴とする。
【０００８】
本構成によれば、プロテクタ（４１）が、その一部が軸（４４ａ）まで延出されて形成されてライトガイド（４２）を兼ねることにより、撮影用照明装置（６）の構成部品が少なくなり、光源（３２）を収容するケース（４０）内の構成が簡略化されて、撮影用照明装置（６）を安価に提供できる。
【０００９】
また、本発明は、軸（４４ａ）が、ケース（４０）に固定されていることを特徴とする。
【００１０】
本構成によれば、軸（４４ａ）がケース（４０）に固定されているため、ケース（４０）を軸（４４ａ、４４ｂ、４４ｃ）を中心に回動させた場合、軸（４４ａ）自体、および出射光を軸（４４ａ）の回動中心を通ってケース（４０）外へ伝達するライトガイド（４２）も、ケース（４０）と共に回動する。このため、ライトガイド（４２）と軸（４４ａ）とが同じ動きをすることで、ライトガイド（４２）が軸（４４ａ）から外力を受けることがなく、軸（４４ａ）が支持体（２）に固定されてライトガイド（４２）と軸（４４ａ）とが異なる動きをする場合に比べて、ライトガイド（４２）は捻れにくくなる。この結果、ライトガイド（４２）の捻れによる光検出精度の低下が発生しにくくなり、検出精度が向上して、より正確な光量の測定が可能になる。
【００１１】
また、本発明は、検出部（３３）が、軸（４４ａ）に固定されていることを特徴とする。
【００１２】
本構成によれば、検出部（３３）が軸（４４ａ）に固定されているため、ケース（４０）を軸（４４ａ、４４ｂ、４４ｃ）を中心に回動させた場合、軸（４４ａ）に固定されている検出部（３３）もケース（４０）と共に回動する。このため、軸（４４ａ）の回動中心を通るライトガイド（４２）と検出部（３３）との相対位置が変わらなくなり、ライトガイド（４２）が検出部（３３）に対して偏位して、ライトガイド（４２）から出射される光の検出部（３３）による検出受光量が変化してしまうことが防げる。この結果、検出部（３３）の光検出精度が維持されて、正確な光量測定が担保される。
【００１３】
また、本発明は、光源（３２）が、軸（４４ａ）の回動中心を通るライトガイド（４２）の周囲を通過するリード線（４３ｂ、４３ｃ）を備えることを特徴とする。
【００１４】
本構成によれば、光源（３２）のリード線（４３ｂ、４３ｃ）が軸（４４ａ）の回動中心を通るライトガイド（４２）の周囲を通過するため、ケース（４０）を軸（４４ａ、４４ｂ、４４ｃ）を中心に回動させた場合でも、軸（４４ａ）の回動中心を通るライトガイド（４２）とライトガイド（４２）の周囲を通過するリード線（４３ｂ、４３ｃ）との接触が妨げられ、ライトガイド（４２）とリード線（４３ｂ、４３ｃ）とが互いに絡まるのを防ぐことができる。この結果、ライトガイド（４２）およびリード線（４３ｂ、４３ｃ）の捻れ等による光検出精度の低下が発生しにくくなり、正確な光量の測定が可能になる。
【００１５】
また、本発明は、上記に記載の撮影用照明装置（６）と、支持体（２）を構成する筐体（２）と、被写体を撮像する撮像手段（２５）とを備えて、撮影装置（１）を構成した。
【００１６】
本構成によれば、バウンス機能を有しながら、光源（３２）の出射光の正確な光量の測定が可能な、小型化された撮影用照明装置（６）を内蔵した撮影装置（１）が提供される。
【発明の効果】
【００１７】
本発明による撮影装置によれば、上記のように、バウンス機能を有しながら、光源の出射光の正確な光量の測定が可能な小型化された撮影用照明装置およびそれを備えた撮影装置が提供される。
【図面の簡単な説明】
【００１８】
【図１】本発明の一実施の形態によるデジタルカメラの外観の概略を示す正面斜視図である。
【図２】図１に示すデジタルカメラの電気回路構成の概略を示すブロック図である。
【図３】（ａ）は、図１に示すデジタルカメラのストロボ発光部の水平断面図、（ｂ）はその側面図である。
【発明を実施するための形態】
【００１９】
次に、本発明による撮影用照明装置を備えた撮影装置をデジタルカメラに適用した場合における、本発明を実施するための一形態について説明する。
【００２０】
図１は、この一実施の形態によるデジタルカメラ１の外観の概略を示す正面斜視図である。
【００２１】
デジタルカメラ１は、カメラボディ２と、このカメラボディ２の前面に設けられた撮影用のレンズ３とから構成される。デジタルカメラ１の筐体を構成するカメラボディ２の上面には、撮影用のシャッターボタンであるレリーズボタン４が設けられている。このレリーズボタン４の右方のカメラボディ２の上面には、操作されるとデジタルカメラ１の内部の各回路に動作電源を供給させる電源ボタン５が設けられている。また、カメラボディ２の正面から見て右上側には、被写体が暗い場合に被写体にストロボ光を照射して明るさを確保するためのストロボ発光部６が備えられている。
【００２２】
図２は、デジタルカメラ１の電気回路構成の概略を示すブロック図である。
【００２３】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００２４】
被写体からの光は、光学系を構成するレンズ３を介してデジタルカメラ１内に取り込まれる。デジタルカメラ１内に取り込まれた被写体光は、撮像部２５の撮像面２５ａ上に被写体像を投影する。撮像部２５は、ＣＣＤ（Charge Coupled Device）やＣＭＯＳ（Complementary Metal Oxide Semiconductor）などからなり、撮像部２５の撮像面２５ａ上に結像した被写体像は、アナログの撮像信号に変換される。変換された撮像信号は、Ａ／Ｄ変換部２６においてデジタル信号に変換される。撮像部２５は、被写体を撮像する撮像手段を構成する。画像処理部２７は、Ａ／Ｄ変換部２６でデジタル信号に変換された撮像信号をバス２８を介して取得し、取得した撮像信号に対して、ホワイトバランス処理やガンマ補正などの画像処理を行い、撮影された画像の画像データを生成する。画像処理部２７によって生成された画像データは、圧縮処理が施されてバッファメモリ２３に一時格納されると共に、Ｉ／Ｆ部２９を介して、図示しないスロットに着脱される、記憶媒体を構成するメモリカード３０に記録される。
【００２５】
ＣＰＵ２１にはレリーズボタン４が接続されている。レリーズボタン４は、半押しされるとオートフォーカス機能を作動させてレンズ３を移動させ、全押しされると予め設定されたシャッター速度で図示しないシャッターを開かせ、被写体像を撮像部２５の撮像面２５ａに所定時間露光させて被写体の撮影を行わせる。また、カメラボディ２の背面にはＣＰＵ２１に接続されているモニタ１１が設けられている。モニタ１１は、ＴＦＴ（Thin Film Transistor）液晶などからなり、ＣＰＵ２１は、モニタ１１に、撮像部２５の撮像面２５ａで撮像される被写体像を構図を確認するためのスルー画として表示させる。また、モニタ１１の表示領域に対して行われるタッチ操作は、ＣＰＵ２１に接続されたタッチパネル１２によって検出される。タッチ操作が検出されると、タッチパネル１２からタッチ操作検出信号が出力され、タッチ操作により入力される情報がＣＰＵ２１に送出される。
【００２６】
また、ＣＰＵ２１には、トリガーコイル３１、Ｘｅ（キセノン）管３２、およびＳＰＤ（シリコンフォトダイオード）３３が接続されている。これらは撮影用照明装置であるストロボ発光部６を構成し、Ｘｅ管３２は、被写体を照明する光源を構成する。トリガーコイル３１はＣＰＵ２１から発光信号を受信するとＸｅ管３２を発光させる。ＳＰＤ３３は、光の強さを電気信号に変換する受光素子であり、Ｘｅ管３２の発光した光量を検出する。ＣＰＵ２１は、ＳＰＤ３３にてＸｅ管３２の発光量が適量になったことが検出された場合、Ｘｅ管３２へ信号を出力してその発光を停止させる。
【００２７】
図３（ａ）は、デジタルカメラ１のストロボ発光部６の水平断面、（ｂ）はその側面図である。
【００２８】
ストロボ発光部６は、ケース４０の内部にトリガーコイル３１およびＸｅ管３２を収容している。Ｘｅ管３２の前部のケース４０の前面にはプロテクタ４１が設けられ、Ｘｅ管３２の後部側面にはトリガーコイル３１が設けられている。
【００２９】
ケース４０は、その左側面が、カメラボディ２の凹部２ａの左壁面との間に設けられた円柱状の軸４４ａにより、カメラボディ２に軸支されている。軸４４ａは、ケース４０の左側面に固定され、ケース４０の回動により凹部２ａの左壁面に開口した穴に対して摺動する。また、ケース４０の右側面には、円柱状の軸４４ｂが突出して一体に設けられており、軸４４ｂは、カメラボディ２の凹部２ａの右壁面の開口した穴と嵌合している軸４４ｃにピン４６で固定されている。軸４４ｃは、ケース４０の回動により凹部２ａの右壁面に開口した穴に対して摺動する。ストロボ発光部６は、ケース４０の両側面がこれらの軸４４ａ、４４ｂ、４４ｃによって支持体を構成するカメラボディ２に軸支されることで、それらの軸芯を回動中心にカメラボディ２に対して回動自在に支持されている。
【００３０】
プロテクタ４１は、透光性材質からなり、Ｘｅ管３２から出射される出射光をケース４０外へ透過させると共に、Ｘｅ管３２をケース４０内に保持して保護する。Ｘｅ管３２により発光した光はプロテクタ４１を通って被写体を照らす。プロテクタ４１の端部にはライトガイド４２の一端が接続されている。ライトガイド４２は、光ファイバから成り、プロテクタ４１に照射されるＸｅ管３２の出射光の一部を軸４４ａの回動中心を通ってケース４０外へ伝達する。軸４４ａの回動中心上におけるケース４０の外には、ＳＰＤ３３が軸４４ａに固定して設けられている。ＳＰＤ３３は、ライトガイド４２を介して伝達されるＸｅ管３２の出射光の光量を検出する検出部を構成する。
【００３１】
トリガーコイル３１の両端にはＣＰＵ２１と接続する同図（ａ）で不図示の２本のリード線が設けられており、トリガーコイル３１とＸｅ管３２の間にはリード線４３ａが設けられている。ストロボ撮影を行う場合、レリーズボタン４が押され、ＣＰＵ２１から発光信号が出力されると、トリガーコイル３１からリード線４３ａを介してＸｅ管３２に高圧が印加されてＸｅ管３２が発光する。なお、トリガーコイル３１は、発光効率の問題からＸｅ管３２の傍に設置されている。また、Ｘｅ管３２の両端部には、カメラボディ２内から軸４４ａを通って伸びる２本のリード線４３ｂ、４３ｃが接続されており、このリード線４３ｂ、４３ｃを介してＸｅ管３２を発光させるための電力が供給される。
【００３２】
軸４４ａは、ケース４０の左側面から見ると同図（ｂ）に示すように円形状をしており、その回動中心には、ライトガイド４２を通すための穴４５ａが１つ設けられている。なお、同図（ｂ）では、ＳＰＤ３３の図示を省略してある。ライトガイド４２を通すための穴４５ａの周りには、リード線４３ｂ、４３ｃを通すための穴４５ｂ、４５ｃ、およびトリガーコイル３１の両端に接続された２本のリード線４３ｄ、４３ｅを通すための穴４５ｄが設けられている。Ｘｅ管３２のリード線４３ｂ、４３ｃおよびトリガーコイル３１のリード線４３ｄ、４３ｅは、軸４４ａの回動中心を通るライトガイド４２の周囲を通過している。ＣＰＵ２１は、ＳＰＤ３３により検出されたＸｅ管３２の発光量が適量と判断すると、リード線４３ｂ、４３ｃを介するＸｅ管３２への電力供給を停止し、Ｘｅ管３２の発光を停止させる。
【００３３】
このような本実施形態によるデジタルカメラ１によれば、ストロボ発光部６が軸４４ａ、４４ｂ、４４ｃによってカメラボディ２に対して回動されることで、ケース４０の一面に設けられた透光性材質からなるプロテクタ４１を介してケース４０外へ出射されるＸｅ管３２の出射光の向きが変えられ、Ｘｅ管３２の出射光を直接に被写体に投射して撮影を行う通常のストロボ光直射撮影と、Ｘｅ管３２の出射光を被写体とは異なる他の物体に投射して該物体からの反射光で被写体を照明するストロボ光バウンス撮影とが行われる。プロテクタ４１を介してケース４０外へ照射されるＸｅ管３２の出射光は、プロテクタ４１からライトガイド４２によって軸４４ａの回動中心を通ってケース４０外へ伝達され、軸４４ａの回動中心上におけるケース４０の外に設けられたＳＰＤ３３によって光量が検出される。この際、Ｘｅ管３２を収容するケース４０を軸４４ａ、４４ｂ、４４ｃを中心に回動させても、ライトガイド４２は、軸４４ａの回動中心を通ってケース４０の外に引き出されているので、外力が加わって捻れたりすることがない。また、ＳＰＤ３３は軸４４ａの回動中心上におけるケース４０外に設けられているため、Ｘｅ管３２を収容するケース４０を軸４４ａ、４４ｂ、４４ｃを中心に回動させても、ライトガイド４２から出射される光は逸れることなく、ＳＰＤ３３に照射されて受光される。この結果、バウンス機能を有しながら、Ｘｅ管３２の出射光の正確な光量の測定が可能な、ＳＰＤ３３がＸｅ管３２を収容するケース４０の外に設けられて小型化されたストロボ発光部６が提供される。
【００３４】
また、本実施形態によれば、軸４４ａがケース４０に固定されているため、ケース４０を軸４４ａ、４４ｂ、４４ｃを中心に回動させた場合、軸４４ａ自体、および出射光を軸４４ａの回動中心を通ってストロボ発光部６外へ伝達するライトガイド４２も、ケース４０と共に回動する。このため、ライトガイド４２と軸４４ａとが同じ動きをすることで、ライトガイド４２が軸４４ａから外力を受けることがなく、軸４４ａがカメラボディ２に固定されてライトガイド４２と軸４４とが異なる動きをする場合に比べて、ライトガイド４２は捻れにくくなる。この結果、ライトガイド４２の捻れによる光検出精度の低下が発生しにくくなり、検出精度が向上して、より正確な光量の測定が可能になる。
【００３５】
また、本実施形態によれば、ＳＰＤ３３が軸４４に固定されているため、ケース４０を軸４４ａ、４４ｂ、４４ｃを中心に回動させた場合、軸４４ａに固定されているＳＰＤ３３もケース４０と共に回動する。このため、軸４４ａの回動中心を通るライトガイド４２とＳＰＤ３３との相対位置が変わらなくなり、ライトガイド４２がＳＰＤ３３に対して偏位して、ライトガイド４２から出射される光のＳＰＤ３３による検出受光量が変化してしまうことが防げる。この結果、ＳＰＤ３３の光検出精度が維持されて、正確な光量測定が担保される。
【００３６】
また、本実施形態によれば、Ｘｅ管３２のリード線４３ｂ、４３ｃ、およびトリガーコイル３１のリード線４３ｄ、４３ｅが軸４４ａの回動中心を通るライトガイド４２の周囲を通過するため、ケース４０を軸４４ａを中心に回動させた場合でも、軸４４ａの回動中心を通るライトガイド４２とライトガイド４２の周囲を通過するリード線４３ｂ、４３ｃ、４３ｄ、４３ｅとの接触が妨げられ、ライトガイド４２とリード線４３ｂ、４３ｃ、４３ｄ、４３ｅとが互いに絡まるのを防ぐことができる。この結果、ライトガイド４２およびリード線４３ｂ、４３ｃ、４３ｄ、４３ｅの捻れ等による光検出精度の低下が発生しにくくなり、正確な光量の測定が可能になる。
【００３７】
また、本実施形態によれば、バウンス機能を有しながら、Ｘｅ管３２の出射光の正確な光量の測定が可能な、小型化されたストロボ発光部６を内蔵したデジタルカメラ１が提供される。
【００３８】
なお、本実施形態では、ライトガイド４２は、プロテクタ４１とは別体の光ファイバで設けられる構成であったが、ライトガイド４２は、プロテクタ４１の一部が軸４４まで延出されて形成され、プロテクタ４１に照射されるＸｅ管３２の出射光を軸４４ａの回動中心を通ってストロボ発光部６外へ伝達する構成にしてもよい。この構成によれば、プロテクタ４１が、その一部が軸４４ａまで延出されて形成されてライトガイド４２を兼ねることにより、ストロボ発光部６の構成部品が少なくなり、Ｘｅ管３２を収容するストロボ発光部６内の構成が簡略化されて、ストロボ発光部６を安価に提供できる。
【００３９】
また、本実施形態では、撮影用照明装置を構成するストロボ発光部６がデジタルカメラ１に内蔵されている構成であったが、撮影用照明装置は、デジタルカメラ１などに外付けされている単体の構成であってもよい。また、光源として閃光を発光するＸｅ管３２の代わりに連続光を発光するＬＥＤ（発光ダイオード）等を用いてもよい。
【産業上の利用可能性】
【００４０】
上記実施形態においては、本発明の撮影用照明装置を備えた撮影装置を撮影レンズが一体化されたコンパクト型のデジタルカメラに適用した場合について説明したが、撮影レンズが交換可能な一眼レフ式のカメラや、フィルム式のいわゆる銀塩カメラ、動画像を撮影するビデオカメラ、携帯電話機等に内蔵されるカメラ等のその他の撮影装置、並びにスピードライト等の単体の撮影用照明装置にも適用することが可能である。このような撮影装置や撮影照明装置に本発明を適用した場合においても、上記実施形態と同様な作用効果が奏される。
【符号の説明】
【００４１】
１…デジタルカメラ
２…カメラボディ
５…ストロボ発光部
２１…ＣＰＵ
３１…トリガーコイル
３２…Ｘｅ管
３３…ＳＰＤ
４１…プロテクタ
４２…ライトガイド
４３ａ、４３ｂ、４３ｃ、４３ｄ、４３ｅ…リード線
４４ａ、４４ｂ、４４ｃ…軸
【図１】
2011170216.tif 000003
【図２】
2011170216.tif 000004
【図３】
2011170216.tif 000005